(57)【要約】【課題】  本発明は、ショット時の衝撃力により破損することはなく、遠くに飛ばされてしまうこともなく、かつ、ドライバ、フェアウェイウッド、アイアン等種々のゴルフクラブによる実践的な練習を１つで行うことができる練習用ゴルフティーを提供する。【解決手段】  本発明の練習用ゴルフティーＡは、練習用マット１に形成された装着用孔１ａに装着され、弾性材で作られた基台ティー部材２と、皿形の頭部３ａと、その頭部３ａの下部から下方に延びて形成された脚部３ｂとからなる棒形ティー部材３と、基台ティー部材２の下部と棒形ティー部材３の脚部３ｂとを連結する連結部材４と、を有し、基台ティー部材２の上面には、棒形ティー部材３の脚部３ａを挿入し支持するための割れ目２ｃが形成されているとともに、ショット時のゴルフクラブの抜けを良好にするための毛２ｄが植設されている。【選択図】  図１
2007111505.tif 000002
【特許請求の範囲】
【請求項１】
練習用マットに形成された装着用孔に装着され、弾性材で作られた基台ティー部材と、
皿形の頭部と、その頭部の下部から下方に延びて形成された脚部とからなる棒形ティー部材と、
前記基台ティー部材の下部と棒形ティー部材の脚部とを連結する連結部材と、を有し、
前記基台ティー部材の上面には、前記棒形ティー部材の脚部を挿入し支持するための割れ目が形成されている、
ことを特徴とする練習用ゴルフティー。
【請求項２】
前記基台ティー部材の上面には、ショット時のゴルフクラブの抜けを良好にするための毛が植設されていることを特徴とする請求項１に記載の練習用ゴルフティー。
【請求項３】
前記基台ティー部材の上面には、前記棒形ティー部材の脚部が挿入される中心部から外側に向かって延びた空洞部が形成されていることを特徴とする請求項１に記載の練習用ゴルフティー。
【請求項４】
高さの異なる複数の棒形ティー部材を有し、前記複数の各棒形ティー部材と前記基台ティー部材の下部とがそれぞれ連結部材によって連結されていることを特徴とする請求項１乃至３のいずれか１つの項に記載の練習用ゴルフティー。
【発明の詳細な説明】
【技術分野】
【０００１】
本発明は、市街地に設けられているゴルフ練習場やゴルフ場に併設されているゴルフ練習場等でゴルフボールを打つ際に用いられる練習用マットに装着される練習用ゴルフティーに関する。
【背景技術】
【０００２】
一般に、市街地に設けられているゴルフ練習場やゴルフ場に併設されているゴルフ練習場等においては、ゴルフクラブでゴルフボールを打つショットの練習を行うために練習用マットが設置されている。この練習用マットには練習用ゴルフティーを装着するための装着用孔が形成されており、その装着用孔に装着した練習用ゴルフティー上にゴルフボールを載置してショットの練習を行っている。
【０００３】
しかし、従来の練習用ゴルフティーは、既定の高さに形成されており、その高さが練習者にとって丁度都合のよい高さの場合にはよいが、高すぎたりあるいは低すぎたりする場合には、所望の高さの練習用ゴルフティーに交換したり、あるいは異なる高さのティーを固定した他のゴルフ練習用マットに交換しなければならず、面倒であった。
【０００４】
また、従来の練習用ゴルフティーは、実際のゴルフコースで使用するような幅の細いタイプのティーではなく、幅の太いタイプのティーであるので、見た印象が異なり、視覚的な違和感があるとともに、ドライバー（ウッド）のクラブでボールを打ったときの感触に違和感があり、実践感覚に近い練習ができなかった。
【０００５】
そこで、例えば、特開平５−３３７２２６号公報には、ゴルフティーの高低の調整が容易にできる練習用ゴルフティーが提案されている。この従来の練習用ゴルフティーは、頂部にゴルフボール載置部を有するティー部材と、そのティー部材を摺動自在に保持する穴を有するティー部材保持筒を中心に設けたティー部材保持具とから構成されている（以下、この技術を従来例という）。
【特許文献１】特開平５−３３７２２６号公報
【発明の開示】
【発明が解決しようとする課題】
【０００６】
従来例では、ティー部材の高さ調整は可能であるが、ティー部材が保持筒から抜け出せない構造であるので、ショット時の衝撃力を受けて破損しやすいという課題がある。
【０００７】
また、仮にティー部材を保持筒から抜けやすくする構造にしたとしても、ショット時にティー部材が飛ばされてしまう可能性が高く、その都度、ティー部材を取りにいかなくてもならず面倒であり、場合によっては見失ってしまうという課題がある。
【０００８】
さらに、従来例では、フェアウェイウッドやアイアンのクラブでボールを打つときは、練習用マットから練習用ゴルフティーを取り外したり、別の練習用マットに取り替える必要があり、面倒であるという課題がある。
【０００９】
本発明は上記課題を解決するためになされたものであり、ショット時の衝撃力により破損することはなく、遠くに飛ばされてしまうこともなく、かつ、ドライバ、フェアウェイウッド、アイアン等種々のゴルフクラブによる実践的な練習を１つで行うことができる練習用ゴルフティーを提供することを目的とする。
【課題を解決するための手段】
【００１０】
本発明の練習用ゴルフティーは、練習用マットに形成された装着用孔に装着され、弾性材で作られた基台ティー部材と、皿形の頭部と、その頭部の下部から下方に延びて形成された脚部とからなる棒形ティー部材と、前記基台ティー部材の下部と棒形ティー部材の脚部とを連結する連結部材と、を有し、前記基台ティー部材の上面には、前記棒形ティー部材の脚部を挿入し支持するための割れ目が形成されていることを特徴とするものである。
【００１１】
前記基台ティー部材の上面には、ショット時のゴルフクラブの抜けを良好にするための毛が植設されていてもよい。
【００１２】
前記基台ティー部材の上面には、前記棒形ティー部材の脚部が挿入される中心部から外側に向かって延びた空洞部が形成されていてもよい。
【００１３】
高さの異なる複数の棒形ティー部材を有し、前記複数の各棒形ティー部材と前記基台ティー部材の下部とがそれぞれ連結部材によって連結されていてもよい。
【発明の効果】
【００１４】
本発明の練習用ゴルフティーによれば、次のような優れた効果を奏する。
【００１５】
（１）ドライバ、フェアウェイウッド、アイアン等種々のゴルフクラブによる実践的な練習を１つで行うことができるので、効率的なゴルフの練習が可能となる。
【００１６】
（２）棒形ティー部材は、基台ティー部材に着脱可能に支持されているので、ショット時の衝撃力による破損を防止できる。
【００１７】
（３）棒形ティー部材は、連結部材によって基台ティー部材に連結されているので、遠くに飛ばされてしまうことを防止できる。
【００１８】
（４）実際のゴルフコースで使用するような幅の細い棒形ティー部材を備えているので、視覚的な違和感がなく、ドライバー等のクラブでボールを打ったときの感触が実際とほぼ同様であり、実践感覚に近い練習が可能となる。
【００１９】
（５）基台ティー部材の本体上面に形成された割れ目に棒形ティー部材の脚部を挿入し、基台ティー部材を所望の高さに支持することができるので、従来のように、所望の高さの練習用ゴルフティーに交換したり、異なる高さのティーを固定した他のゴルフ練習用マットに交換する必要がなく、練習に専念できる。
【発明を実施するための最良の形態】
【００２０】
以下、本発明の実施の形態について図面を参照して説明する。図１（Ａ）は本発明の第１の実施形態例に係る練習用ゴルフティーを示す側面一部断面図、（Ｂ）は基台ティー部材の平面図である。
【００２１】
図１（Ａ）及び（Ｂ）に示すように、本発明の第１の実施形態例に係る練習用ゴルフティーＡは、練習用マット１に形成された装着用孔１ａに装着され、ゴム等の弾性材で作られた基台ティー部材２と、皿形の頭部３ａと、その頭部３ａの下部から下方に延びて形成された脚部３ｂとからなる棒形ティー部材３と、基台ティー部材２の下部と棒形ティー部材の脚部３ｂとを連結する連結部材４とを有する。
【００２２】
基台ティー部材２は、広い円形の台座２ａと、その台座２ａの中央部に一体に突出して設けられた円柱状の本体２ｂとからなり、本体２の上面には、棒形ティー部材の脚部３ｂを挿入し支持するための割れ目２ｃが形成されている。また、本体２の上面には、ショット時のゴルフクラブの抜けを良好にするための多数の毛２ｄが植設されている。
【００２３】
棒形ティー部材３は、実際のゴルフコースで使用されるような幅の細いタイプの棒形ティーと同様の形状に形成されており、プラスチック又は木材で作られている。
【００２４】
連結部材４は、例えば紐で形成されている。連結部材４の一端は、棒形ティー部材３の脚部３ｂの中間部に固定して取り付けられ、その他端は、基台ティー部材２の本体２と台座２ａとの接続部分に巻かれている。連結部材４の他端側は、図１（Ａ）に示すように、練習用マット１の底面に押圧されているので、必ずしも他端を基台ティー部材２に固定させる必要はない。また、このような構成により、製造コストの低減化を図ることができる。
【００２５】
次に、本発明の第１の実施形態例に係る練習用ゴルフティーを用いてゴルフの練習を行う場合について説明する。
【００２６】
まず、練習用マット１の装着用孔１ａに基台ティー部材２の本体２を挿入する。
【００２７】
ドライバー等のクラブで練習を行う場合には、基台ティー部材２の本体２の上面に形成された割れ目２ｃに棒形ティー部材３の脚部３ｂを挿入して、基台ティー部材２を所望の高さに支持した状態に設定した後、基台ティー部材２の頭部３ａにゴルフボール５を載置して、ショットを行う。ショットの衝撃で棒形ティー部材３が飛ばされてしまっても、連結部材４によって基台ティー部材２に連結されているので、遠くに飛ばされてしまうことを防止でき、棒形ティー部材３を見失うこともない。
【００２８】
フェアウェイウッドやアイアン等のクラブで練習を行う場合には、棒形ティー部材３を取り外して、基台ティー部材２の本体２の上面に直接ボール５（図１（Ａ）の点線）を載置して、ショットを行う。本体２の上面には多数の毛２ｄが植設されているので、ショット時のゴルフクラブの抜けを良好にすることができる。
【００２９】
本発明の第１の実施形態例に係る練習用ゴルフティーＡによれば、ドライバ、フェアウェイウッド、アイアン等種々のゴルフクラブによる実践的な練習を１つで行うことができるので、効率的なゴルフの練習が可能となる。
【００３０】
また、棒形ティー部材３は、基台ティー部材２に着脱可能に支持されているので、ショット時の衝撃力による破損を防止できる。
【００３１】
また、棒形ティー部材３は、連結部材４によって基台ティー部材２に連結されているので、遠くに飛ばされてしまうことを防止できる。
【００３２】
また、実際のゴルフコースで使用するような幅の細い棒形ティー部材３を備えているので、視覚的な違和感がなく、ドライバー等のクラブでボール５を打ったときの感触が実際とほぼ同様であり、実践感覚に近い練習が可能となる。
【００３３】
さらに、基台ティー部材２の本体２上面に形成された割れ目２ｃに棒形ティー部材３の脚部３ｂを挿入し、基台ティー部材２を所望の高さに支持することができるので、従来のように、所望の高さの練習用ゴルフティーに交換したり、異なる高さのティーを固定した他のゴルフ練習用マットに交換する必要がなく、練習に専念できる。
【００３４】
図２は、本発明の第２の実施形態例に係る練習用ゴルフティーを概略的に示す説明図である。
【００３５】
図２に示すように、本発明の第２の実施形態例に係る練習用ゴルフティーＢでは、高さの異なる複数（図２の例では２つ）の棒形ティー部材３を有し、各棒形ティー部材３と基台ティー部材２とがそれぞれ連結部材４によって連結されている。
【００３６】
第２の実施形態例によれば、例えば、ウッドクラブ用に使用される長い棒形ティー部材３’とアイアンクラブ用に使用される短い棒形ティー部材３’’とを適宜使いわけて、ショットの練習を行うことができる。
【００３７】
図３は、本発明の第３の実施形態例に係る練習用ゴルフティーを示す側面図である。
【００３８】
図３に示すように、本発明の第３の実施形態例に係る練習用ゴルフティーＣは、連結部材としてゴム管４ａが用いられ、ゴム管４ａの一端は、棒形ティー部材３の脚部３ｂの中間部に固定して取り付けられ、その他端は、基台ティー部材２の本体２ｂの下部に固定して取り付けられている。
【００３９】
第３の実施形態例によれば、連結部材４がゴム管４ａであり、他端が基台ティー部材２に固定されているので、棒形ティー部材３に対する基台ティー部材２の支持力を高めることができる。
【００４０】
図４は、本発明の第４の実施形態例に係る練習用ゴルフティーを示す側面一部断面図、（Ｂ）は基台ティー部材の平面図である。
【００４１】
図４に示すように、本発明の第４の実施形態例に係る練習用ゴルフティーＤは、練習用マット１に形成された装着用孔１ａに所定の隙間をもって装着され、シリコン樹脂等の軟らかい弾性材で作られた基台ティー部材２と、皿形の頭部３ａと、その頭部３ａの下部から下方に延びて形成された脚部３ｂとからなる棒形ティー部材３と、基台ティー部材２の下部と棒形ティー部材３の脚部３ｂとを連結する連結部材４とを有する。
【００４２】
基台ティー部材２は、広い円形の台座２ａと、その台座２ａの中央部に一体に突出して設けられた円柱状の本体２ｂとからなり、本体２の上面には、棒形ティー部材の脚部３ｂを挿入し支持するための割れ目２ｃが形成されている。
【００４３】
基台ティー部材２の上面には、棒形ティー部材３の脚部３ｂが挿入される中心部から外側に向かって延びた複数（図４では４つ）の空洞部６が形成されている。
【００４４】
本発明の第４の実施形態例に係る練習用ゴルフティーＤによれば、基台ティー部材２の本体２ｂ上面に空洞部６が形成されているので、本体２ｂ全体が軟らかくなり、ショット時の抜けが良好になる。
【００４５】
また、本体２ｂの幅は細く形成され、装着用孔１ａとの間に隙間があるので、ショット時の抵抗を低減することができる。
【００４６】
なお、以上の効果を奏するため、第１の実施形態例に係る練習用ゴルフティーＡのように、本体２ｂ上面に多数の毛２ｄを植設する必要がなくなり、製造コストの低減を図ることができる。
【００４７】
本発明は、上記実施の形態に限定されることはなく、特許請求の範囲に記載された技術的事項の範囲内において、種々の変更が可能である。例えば、本発明の練習用ゴルフティーの各構成部材の材質や形状等は、図面に開示されたものに限定されることはなく、適宜変更される。
【産業上の利用可能性】
【００４８】
本発明は、市街地に設けられているゴルフ練習場やゴルフ場に併設されているゴルフ練習場等でゴルフボールを打つ際に用いられる練習用マットに装着して利用される。
【図面の簡単な説明】
【００４９】
【図１】（Ａ）は本発明の第１の実施形態例に係る練習用ゴルフティーを示す側面一部断面図、（Ｂ）は基台ティー部材の平面図である。
【図２】本発明の第２の実施形態例に係る練習用ゴルフティーを概略的に示す説明図である。
【図３】本発明の第３の実施形態例に係る練習用ゴルフティーを示す側面図である。
【図４】（Ａ）は本発明の第４の実施形態例に係る練習用ゴルフティーを示す側面一部断面図、（Ｂ）は基台ティー部材の平面図である。
【符号の説明】
【００５０】
Ａ〜Ｄ：練習用ゴルフティー
１：練習用マット
２：基台ティー部材
３：棒形ティー部材
４：連結部材
５：ボール
６：空洞部
【図１】
2007111505.tif 000003
【図２】
2007111505.tif 000004
【図３】
2007111505.tif 000005
【図４】
2007111505.tif 000006